(57)【要約】      （修正有）【課題】軽量・コンパクトで取り扱いが簡単で、誰もが一人で使用できる安価な手動ローラー式昇降装置を開発・提供する。【解決手段】上部中心に軽量角形鋼管等の支持部材を垂直方向に伸縮移動させる為の案内部１ｂと支持部材５を押圧して把持する押圧力調整装置１ｃとをそれぞれ設けた基台本体１と、支持部材５を把持し、且つ、上下垂直方向に搬送移動させる駆動搬送装置２と従動搬送装置３と支持部材５を継ぎ足す際に一時的に保持して落下を防止し、継ぎ足しに要する所定寸法上下移動可能に設けた保持装置４と、先端部に係止部を設けた先端支持部材５ａと使用目的に応じて複数本継ぎ足しながら長さ調整する長さ調整支持部材５ｂ，５ｃとをそれぞれ組み合わせて成る支持部材５から成り、且つ、搬送時は先端支持部材５ａの係止部に搬送品を係止し搬送装置により長さ調整支持部材を継ぎ足しながら上昇、又は、長さ調整支持部材を取り外しながら下降させる。【選択図】図１
0003148299.tif 000002
【実用新案登録請求の範囲】
【請求項１】
祭りや祝賀行事等のイベントの際に装飾品等を高所に設置する際、取り付け・取り外しの為、搬送に使用する昇降装置において、該昇降装置（Ｓ）は上部中心に軽量角形鋼管等の支持部材（５）を垂直方向に伸縮移動させる為の案内部（１ａ）（１ｂ）と支持部材を押圧して把持する押圧力調整装置（１ｃ）とをそれぞれ設けた基台本体（１）と、支持部材（５）を把持し、且つ、上下垂直方向に搬送移動させる駆動搬送装置（２）と、従動搬送装置（３）と、支持部材（５）を継ぎ足す際に一時的に保持して落下を防止し、継ぎ足しに要する所定寸法（Ｈ）上下移動可能に設けた保持装置（４）と、先端部に係止部を設けた先端支持部材（５ａ）と使用目的に応じて複数本継ぎ足しながら長さ調整する長さ調整支持部材（５ｂ）（５ｃ）とをそれぞれ組み合わせて成る支持部材（５）から成り、且つ、搬送時は先端支持部材の係止部に搬送品（Ｘ）を係止し、保持装置（４）により長さ調整支持部材を継ぎ足しながら、搬送装置（２）（３）で上昇させ、又、下降時は最下部の長さ調整支持部材を保持装置（４）で保持しながら下降させ、取り外す事を特徴とする手動ローラー式昇降装置。
【考案の詳細な説明】
【技術分野】
【０００１】
この考案は、祭りや祝賀行事等のイベントの際に装飾品等を高所に設置する際、取り付け・取り外しの為、搬送に使用する手動ローラー式昇降装置に関するものである。
【背景技術】
【０００２】
従来、祭りや祝賀行事等のイベントの際に装飾品等を取り付け・取り外しする為に、高所作業台車やクレーン等の特殊車両をリースしていた。又、特殊車両を運転操作するオペレーターや安全に作業を行う為にガードマンを雇う必要が有った。その為に多額の費用と時間を費やしていた。又、特殊車両や足場等、設置スペースに制約がある為、設置場所によっては多数の人力により設置作業を行う為、非効率的であった。
【０００３】
こうした毎年定期的に行われるイベントの度に、高額な費用と時間が費やされるくらいなら、簡単に誰もが使用出来る安価な昇降装置を考案し、市販すれば、作業の効率アップに繋がり、経済的である為、上記の問題を解消し、且つ、全ての要求を満たす昇降装置の早期開発が望まれている。
【０００４】
これまでに出願されている昇降装置関係の特許文献を参考の為、紹介する。（特許文献１〜３  参照。）
【特許文献１】特開２００８−００１４７４
【特許文献２】特開２００８−１６２７０９
【特許文献３】特開２００８−５２９９３０
【考案の開示】
【考案が解決しようとする課題】
【０００５】
そこで、上記課題を解決する為に、この考案は少スペースで、軽量・コンパクトで、取り扱いが簡単で、誰もが一人で使用できる安価な手動ローラー式昇降装置を開発・提供する事にある。
【課題を解決するための手段】
【０００６】
この課題を解決する為の手段として、上部中心に軽量角形鋼管等の支持部材を垂直方向に伸縮移動させる為の案内部と支持部材を押圧して把持する押圧力調整装置とをそれぞれ設けた駕台本体と、支持部材を把持し、且つ、上下垂直方向に搬送移動させる駆動搬送装置と、従動搬送装置と、支持部材を継ぎ足す際に一時的に保持して落下を防止し、継ぎ足しに要する所定寸法上下移動可能に設けた保持装置と、先端部に係止部を設けた先端支持部材と使用目的に応じて複数本継ぎ足しながら長さ調整する長さ調整支持部材とをそれぞれ組み合わせて成る支持部材から成り、且つ、搬送時は先端支持部材の係止部に搬送品を係止し、保持装置により長さ調整支持部材を継ぎ足しながら、搬送装置で上昇させ、又、下降時は最下部の長さ調整支持部材を保持装置で保持しながら下降させ、取り外すものである。
【考案の効果】
【０００７】
この考案の効果として、上部中心に軽量角形鋼管等の支持部材を垂直方向に伸縮移動させる為の案内部と支持部材を押圧して把持する押圧力調整装置とをそれぞれ設けた駕台本体と、支持部材を把持し、且つ、上下垂直方向に搬送移動させる駆動搬送装置と、従動搬送装置と、支持部材を継ぎ足す際に一時的に保持して落下を防止し、継ぎ足しに要する所定寸法上下移動可能に設けた保持装置と、先端部に係止部を設けた先端支持部材と使用目的に応じて複数本継ぎ足しながら長さ調整する長さ調整支持部材とをそれぞれ組み合わせて成る支持部材から成り、且つ、搬送時は先端支持部材の係止部に搬送品を係止し、保持装置により長さ調整支持部材を継ぎ足しながら、搬送装置で上昇させ、又、下降時は最下部の長さ調整支持部材を保持装置で保持しながら下降させ、取り外す事で、軽量・コンパクトで、取り扱いが簡単で、誰もが一人で使用でき、安価である等、極めて有益なる効果を奏するものである。
【考案を実施するための最良の形態】
【０００８】
この考案の最良の形態として、安全性・操作性・耐久性等を考慮し、飾り付ける装飾品の大きさや重量に応じた寸法形状・材質を選定する事が重要である。
【実施例１】
【０００９】
そこで、この考案の一実施例を図１〜図２に基づいて詳述すると、祭りや祝賀行事等のイベントの際に装飾品等を高所に設置する際、取り付け・取り外しの為、搬送に使用する昇降装置において、該昇降装置（Ｓ）は上部中心に軽量角形鋼管等の支持部材（５）を垂直方向に伸縮移動させる為の案内部（１ａ）（１ｂ）と支持部材を押圧して把持する押圧力調整装置（１ｃ）とをそれぞれ設けた基台本体（１）と、支持部材（５）を把持し、且つ、上下垂直方向に搬送移動させる駆動搬送装置（２）と、従動搬送装置（３）と、支持部材（５）を継ぎ足す際に一時的に保持して落下を防止し、継ぎ足しに要する所定寸法（Ｈ）上下移動可能に設けた保持装置（４）と、先端部に係止部を設けた先端支持部材（５ａ）と使用目的に応じて複数本継ぎ足しながら長さ調整する長さ調整支持部材（５ｂ）（５ｃ）とをそれぞれ組み合わせて成る支持部材（５）から成り、且つ、搬送時は先端支持部材の係止部に搬送品（Ｘ）を係止し、保持装置（４）により長さ調整支持部材を継ぎ足しながら、搬送装置（２）（３）で上昇させ、又、下降時は最下部の長さ調整支持部材を保持装置（４）で保持しながら下降させ、取り外す事を特徴とする手動ローラー式昇降装置から構成される
【００１０】
この考案の構造について説明すると、図１に示す様に、基台本体（１）は縦寸法が約９３５ｍｍ×横寸法が約５００ｍｍ×幅寸法が約５０５ｍｍの鋼製アングル部材で箱状を形成し、且つ、基台本体（１）の上部中心に□５０ｍｍ×５０ｍｍの軽量角形鋼管の支持部材（５）を上下移動させる為の案内部（１ａ）（１ｂ）と、支持部材（５）をアジャストボルト・ナットで水平方向に押圧して固定し、落下を防止する為の押圧力調整装置（１ｃ）とをそれぞれ設けている。
【００１１】
そして、基台本体（１）ほぼ中心部に支持部材（５）を設置して上下移動させる為の搬送装置（２）（３）について説明すると、支持部材（５）の左側面部に密着させて設けたゴム製ローラー（３）と、支持部材（５）の右側面部に密着させ、且つ、ヒンジ部材（２ａ）の遥動軸部を中心に左方向に押圧可能に設けたハンドル回転式減速歯車付ゴム製ローラー（２）とをそれぞれ設けている。
【００１２】
又、基台本体（１）ほぼ中心下部には、支持部材（５）を継ぎ足す際ローラー部に達するまで一時的に支持部材の下部を保持しながら上方に持ち上げる為の保持装置（４）を設けている。上記保持装置（４）は中心部にガイド用長孔を設けた案内部材（４ａ）と、中心部に軸部（４ｅ）を設けた保持部材（４ｂ）と、駕台本体の右側に設けた軸部（４ｅ）を支点にして上下作動可能に設けた保持部材上下移動用ペダル（４ｃ）をそれぞれ設けている。
【００１３】
そして、上記支持部材（５）は□５０ｍｍ×５０ｍｍ×全長約７５０ｍｍＬの軽量角形鋼管で形成され、且つ、先端四辺隅部に係止用フック（５ａ'）と下端部に段付嵌挿部（５ａ”）をそれぞれ設けた先端支持部材（５ａ）と、下端部に高さ約９０ｍｍの段付嵌挿部（５ｂ”）を有し、使用目的に応じて複数本の長さ調整支持部材（５ｂ）（５ｃ）・・・（５ｘ）を継ぎ足して使用するものである。尚、上記支持部材（５）の長さが長く成った場合、荷重過大によりローラー部の滑り発生が生じる事も考慮し、滑り防止策として、支持部材の両側面部に滑り止め用部材を貼着するか、或いは、サンダー仕上げ等により摩擦抵抗を増大させる事も可能である。
【００１４】
次に、支持部材（５）を継ぎ足して延長する時の作業要領を説明すると、図３の場合、１本目の先端支持部材（５ａ）と２本目の長さ調整支持部材（５ｂ）を既に取り付けた状態を示し、継ぎ足し延長する３本目の長さ調整支持部材（５ｃ）を保持部材（４ｂ）の中に設置し、保持部材上下移動用ペダルを踏んで上方向に移動させて、２本目の支持部材の下部内側に嵌挿し、完全に挿入後、更にペダルを踏みながら３本目の長さ調整支持部材（５ｃ）が搬送装置（２）（３）のローラー部に達するまで持ち上げる。
【００１５】
又、背丈の高いクリスマスツリー等の搬送品（Ｘ）を設置する際は、図４に示す様に先端支持部材（５ａ）の先端部に設けた係止用フック部（５ａ'）に搬送品（Ｘ）の先端を固定し、ロープ等の係止部材（Ｒ）で係止して搬送装置（２）のハンドル（２ｂ）を回しながらゆっくり持ち上げ、垂直状態になったらインナーブームが伸びきった状態時、落下防止用固定ピン（Ｐ）をガイド用アングル部の穴と最下部のインナーブームの落下防止用固定穴部に挿入してインナーブーム全体の落下を防止する。そして、搬送品（Ｘ）が倒れない様に、搬送品の上部先端と地上に埋設したアンカー間の四方にロープを懸架し、固着する。そして、それぞれの各インナーブーム先端及び下端に設けた固定用フック等の係止部（５ａ'）にロープ等の係止部材（Ｒ）をそれぞれ係止して搬送品（Ｘ）を係止する。又、取り外す際は持ち上げる時と逆の作業工程（手順）で行う。
【産業上の利用可能性】
【００１６】
この考案の手動ローラー式昇降装置は、軽量・コンパクトで、取り扱いが簡単で、誰もが一人で使用でき、安価である為、イベント等で装飾品を飾り付ける多くの関係業者に寄与する為、産業上の利用可能性を有する。
【図面の簡単な説明】
【００１７】
【図１】この考案の一実施例を示し、（Ａ）は平面図で、（Ｂ）は正面図である。
【図２】この考案の一実施例を示し、（Ａ）右側面図で、（Ｂ）は図１（Ｂ）のａ−ａ矢視断面拡大図である。
【図３】この考案の使用例を示し、支持部材継ぎ足し要領を示す正面図である。
【図４】この考案の使用例を示し、全体作業姿勢を示す正面図である。
【符号の説明】
【００１８】
１  基台本体
１ａ  案内部
１ｂ  案内部
１ｃ  押圧力調整装置
２  駆動搬送装置
２ａ  ヒンジ部材
２ｂ  ハンドル
３  従動搬送装置
４  保持装置
４ａ  案内部材
４ｂ  保持部材
４ｃ  保持部材上下移動用ペダル
４ｄ  保持部材軸部
４ｅ  上昇ペダルヒンジ部
５  支持部材
５ａ  先端支持部材
５ａ'  係止用フック部
５ａ”  段付嵌挿部
５ｂ  調整支持部材
５ｂ”  段付嵌挿部
５ｃ  調整支持部材
Ｈ  所定寸法
Ｓ  昇降装置
Ｘ  搬送品
Ｐ  落下防止用固定ピン
Ｒ  係止部材
【図１】
0003148299.tif 000003
【図２】
0003148299.tif 000004
【図３】
0003148299.tif 000005
【図４】
0003148299.tif 000006